(57)【要約】【課題】網戸用ネットを枠体に確実に仮止めして、ネットの張設作業を容易に行うことが可能になるとともに、見栄え良くネットを張設できる網戸用ネット仮止め具を提供する。【解決手段】網戸枠体のネット張設溝にネットを仮止めする網戸用ネット仮止め具であって、保持部２と、上記保持部の縁部に設けられるとともに、上記ネットとともに上記ネット張設溝に押し込んで上記ネットを仮止めできる１又は２以上の仮止め部３，４，５，６とを備えて構成される。【選択図】図１
2009249971.tif 000002
【特許請求の範囲】
【請求項１】
網戸枠体のネット張設溝にネットを仮止めする網戸用ネット仮止め具であって、
保持部と、
上記保持部の縁部に設けられるとともに、上記ネットとともに上記ネット張設溝に押し込んで、上記ネットを仮止めできる１又は２以上の仮止め部とを備える、網戸用ネット仮止め具。
【請求項２】
異なる寸法のネット張設溝に対応する複数の仮止め部を備える、請求項１に記載の網戸用ネット仮止め具。
【請求項３】
連続的に寸法が変化するとともに、寸法の異なるネット張設溝に適用できる仮止め部を備える、請求項１又は請求項２のいずれかに記載のネット仮止め具。
【請求項４】
上記仮止め部は、少なくとも上記ネット張設溝の幅方向に弾性変形できるように構成されている、請求項１から請求項３のいずれかに記載の網戸用ネット仮止め具。
【請求項５】
上記保持部と上記仮止め部とが樹脂又はゴムで一体形成されている、請求項１から請求項４のいずれかに記載の網戸用ネット仮止め具。
【請求項６】
板状の保持部の縁部に、ゴムで形成されるとともに寸法の異なる仮止め部材を連結して構成される、請求項１から請求項４のいずれかに記載の網戸用ネット仮止め具。
【請求項７】
上記仮止め部は、弾性変形させられて、上記ネット張設溝の対向する内壁部にネットを押圧保持できる２以上の弾性当接片を備えて構成される、請求項１から請求項５のいずれかに記載の網戸用ネット仮止め具。
【請求項８】
上記仮止め部は、一方の内壁部に当接させられる当接片と、他方の内壁部に当接させられる当接片とが、上記板状の保持部の縁部に沿って、交互に延出形成されている、請求項７に記載の網戸用ネット仮止め具。
【発明の詳細な説明】
【技術分野】
【０００１】
本願発明は、網戸用ネット仮止め具に関する。詳しくは、網戸枠にネットを張設する際に、ネットを仮止めする網戸用ネット仮止め具に関する。
【背景技術】
【０００２】
網戸のネット張り作業は、網戸の枠体より若干大きく裁断したネットを上記枠体上に載置し、上記枠体のネット張設溝に、ローラを用いて、押さえゴムを上記ネットとともに押し込んで上記枠体に固定することにより行われる。
【０００３】
通常、ネットの一方の縁部を、洗濯挟みや上記押さえゴム等を利用して枠体に仮止めした後、紐状に連続した押さえゴムを上記ネットとともに上記張設溝に順に押し込んで固定する。
【０００４】
ところが、上記押さえゴムを上記ネット張設溝に押し込む際にネットが変形しやすい。このため、上記ネットを弛みなく、また編目を枠の四方の縁部に揃えて張り替えるのは非常に困難である。
【発明の開示】
【発明が解決しようとする課題】
【０００５】
ネットを弛みなく張設するには、ネットに均一な張力が作用した状態で枠体に固定する必要がある。ところが、上記洗濯挟みによっては、作業中にネットを充分な力で保持するのは困難である。一方、押さえゴムを仮止め部材として利用する場合、上記ローラを用いて上記ネット張設溝に押し込む必要がある。したがって、上記張設溝に押さえゴムを繰り返し着脱するのは面倒であり、ネットの位置や張力を調節しながら作業を行うのは困難である。このため、見栄え良くネットを張設することはできない。
【０００６】
また、ネットの縁部は、最終的に上記押さえゴムとともに張設溝に押し込まれて固定されるのであるが、上記張設溝に押し込む際に、ネットの押し込み位置が狂ってネットに歪みが生じやすい。このため、ネットの編目が枠の縁部に対して歪んだ状態で張設されることが多く、素人が見栄え良くネットを張設するのは非常に困難であった。
【０００７】
本願発明は、上記問題を解決し、網戸用ネットを枠体に確実に仮止めして、ネットの張設作業を容易に行うことが可能になるとともに、見栄え良くネットを張設できる網戸用ネット仮止め具を提供することを課題としている。
【課題を解決するための手段】
【０００８】
本願の請求項１に記載した発明は、網戸枠体のネット張設溝にネットを仮止めする網戸用ネット仮止め具であって、保持部と、上記保持部の縁部に設けられるとともに、ネット張設溝に押し込んで上記ネットを仮止めできる１又は２以上の仮止め部とを備えて構成される。
【０００９】
本願発明に係るネット仮止め具は、上記仮止め部をネットとともに枠体のネット張設溝に押し込むことにより、ネットが仮止めされる。すなわち、実際にネットを枠体に固定するのと同様の形態でネットを仮止めできる。したがって、充分な仮止め力を確保することができる。また、ネットを張設したのと同様に仮止めすることができるため、仮止め具を押さえゴムに置換した場合にも、ネットに歪みが生じる等の問題が生じにくい。
【００１０】
また、上記保持部を設けているため、この保持部を手指で握持して、上記仮止め部を上記ネット張設溝に容易に着脱することができる。これにより、ネットの位置や張力を調節しながら繰り返し着脱してネットを仮止めし、その後に上記仮止め具を順次押さえゴムに置換して、ネットを固定することが可能となる。したがって、ネットを見栄え良く張設することができる。
【００１１】
網戸のネット張設溝の幅方向寸法はメーカーによって異なり、上記ネット張設溝に対応した押さえゴムも種々の寸法のものがある。また、ネットを構成するフィラメントの材料も様々である。しかも、既設の網戸のネットを張り替える場合、ネット張設溝が歪んでいる場合も多い。したがって、種々のネット張設溝やネットに対応できるように、寸法の異なる２以上の仮止め部を備えて構成するのが好ましい。また、一つの仮止め部を異なる寸法のネット溝に適用できるように構成するのが好ましい。これにより、１つのネット仮止め具を用いて、溝幅が異なる網戸や、張設溝が歪んだ網戸に適用することが可能となる。
【００１２】
上記保持部の形態は、上記仮止め部を設けることができるとともに手指で保持できれば特に限定されることはない。たとえば、板状の保持部や棒状の保持図を採用することができる。
【００１３】
請求項２に記載した発明は、異なる寸法のネット張設溝に対応する複数の仮止め部を備えて構成したものである。
【００１４】
たとえば、異なる幅方向寸法で形成された複数の仮止め部を設けることにより、種々のメーカーの網戸に適用することが可能になるばかりでなく、ネット張設溝が歪んだ網戸等にも適用することも可能となる。
【００１５】
また、請求項３に記載した発明のように、連続的に寸法が変化するとともに、寸法の異なるネット張設溝に適用できる仮止め部を備えて構成することができる。適用できるネット張設溝の範囲をさらに拡大するために、異なる範囲で連続的に幅方向寸法が変化する２以上の仮止め部を備えて構成することもできる。
【００１６】
請求項４に記載した発明は、上記仮止め部を、少なくとも上記ネット張設溝の幅方向に弾性変形できるように構成したものである。
【００１７】
たとえば、ネット張設溝の幅より若干大きな直径を備える円筒状あるいは丸棒状のゴム部材を上記仮止め部として採用することができる。また、円筒等の中空状の仮止め部を採用して、弾性変形範囲を大きく設定することができる。
【００１８】
さらに、硬質の樹脂を断面略Ｃ字状、あるいは断面略コ字状に成形し、上記Ｃ字部あるいはコ字部の弾性変形を利用して上記ネット調節溝に弾性的に嵌合できるように構成した仮止め部を採用することもできる。
【００１９】
請求項５に記載した発明のように、上記保持部と上記仮止め部とを樹脂又はゴムで一体形成することができる。また、請求項６に記載した発明のように、硬質樹脂あるいは金属で形成した板状の保持部の縁部に、ゴムや柔軟な樹脂で形成されるとともに寸法の異なる仮止め部材を連結して構成することもできる。
【００２０】
請求項７に記載した発明は、上記仮止め部を、弾性変形させられて、上記ネット張設溝の対向する内壁部にネットを押圧保持できる２以上の弾性当接片を備えて構成したものである。
【００２１】
たとえば、上記保持部の縁部から互いに反対方向に向けて延出形成されるとともに、互いに近接するように弾性変形させられながら上記ネット張設溝に嵌合させられて、上記ネットを上記ネット張設溝に押圧固定できる複数の弾性当接片を設けることができる。上記弾性当接片は、上記保持部と一体成形により形成することもできるし、別部材を保持部の縁部に連結して設けることもできる。
【００２２】
請求項８に記載した発明は、仮止め部を、一方の内壁部に当接させられる弾性当接片と、他方の内壁部に当接させられる弾性当接片とを、板状の保持部の縁部に沿って、交互に延出形成して構成したものである。
【００２３】
上記構成を採用することにより、保持部と仮止め部とを同一の樹脂材料で一体成形することが可能となり、製造コストを低減させることができる。また、仮止め長さの大きな仮止め部を設けても、端部から順次ネット張設溝に嵌合させることが可能となり、仮止めに要する力を低減させることも可能となる。
【発明の効果】
【００２４】
本願発明によって、種々の寸法のネット張設溝に、網戸ネットを見栄え良く、また、容易に張設することが可能となる。
【発明を実施するための最良の形態】
【００２５】
以下、本願発明の実施形態を図に基づいて具体的に説明する。
【００２６】
図１に、本願発明に係るネット仮止め具の正面図を、図２に平面図を、図３に右側面図を示す。
【００２７】
ネット仮止め具１は、板状の保持部２と、この保持部の四方の縁部に設けられる仮止め部３，４，５，６とを備えて構成される。
【００２８】
上記保持部２は、樹脂プレートを矩形状に切断するとともに、四方の角部に円弧状の切欠き部７，８，９，１０を設けて構成されている。
【００２９】
図２に示すように、上記仮止め部３，４，５，６は、外周部に母線方向の凸条を備える略円筒状に形成されており、押さえゴムと同一の形態に形成されている。
【００３０】
上記ネット仮止め具１は、上記形態の仮止め部３，４，５，６に対応する成形空間と、上記保持部を挿入できる空間を備える金型内に、上記保持部を挿入してゴム材料をインサート成形することにより、上記保持部と上記仮止め部とを一体的に形成することができる。
【００３１】
また、上記円筒状の仮止め部３，４，５，６に対応する押さえゴムの母線方向にスリット１４を設けて、このスリット１４に、上記保持部２の縁部を挿入して接着等することにより、上記ネット仮止め具を形成することもできる。
【００３２】
本実施形態では、上記仮止め部３，４，５，６は、異なる直径を備える略円筒状に形成されている。このため、一つの仮止め具を用いて、異なる寸法で形成されたネット張設溝を備える網戸枠にネットを仮止めすることが可能となる。したがって、種々のメーカーの網戸に適用することができるばかりでなく、歪みが生じたネット張設溝にも適用することが可能となる。なお、上記仮止め部の形態及び数は実施形態に限定されることはない。１から３種類の仮止め部を設けることもできるし、５以上の仮止め部を設けることもできる。また、上記保持部の形態も上記仮止め部の数に応じて種々の形態のものを採用できる。たとえば、３種類の仮止め部を設ける場合は、保持部を三角形状に形成すればよい。
【００３３】
図４及び図５に、上記仮止め具１を用いて網戸枠１２にネット１１を仮止めして、ネット張り作業を行っている状態を示す。
【００３４】
図４に示すように、網戸のネットの張り作業は、網戸の枠体１２より若干大きく裁断したネット１１を上記枠体１２上に載置し、上記枠体１２の内縁部に設けたネット張設溝１３に押さえゴム１７をネット１１とともに押し込むことにより行われる。上記ネット張設溝１３からは、上記ネット１１の余分な部分がはみ出した状態で張設されるが、このはみ出し部分は、作業終了後にナイフ等を用いて切除される。
【００３５】
本実施形態に係るネット仮止め具１を用いたネット張設作業においては、まず、ネット１１を複数のネット仮止め具１を用いて、上記枠体１２に仮止めする。図５に示すように、本実施形態に係るネット仮止め具１は、ネット１１とともに仮止め部３，４，５，６を上記枠体１２のネット張設溝１３に、押し込むことによりネットを仮止めする。したがって、ネットを押さえゴムで張設したのと同一の形態に仮止めし、その後、図４に示すように、上記仮止め具１を上記押さえゴム１７で置換するようにして、上記ネット１１が張設される。したがって、従来の手法のように、押さえゴム１７及びネット１１をネット張設溝１３に押し込む際に、ネットが歪むことはなくなる。
【００３６】
また、上記ネット仮止め具１は、上記保持部を握持してネット張設溝１３に繰り返し着脱できるため、ネット１１の張力を調節しながら、ネット調節作業を行うことが可能となる。したがって、均等な張力を作用させて弛みなくネット１１を張設することもできる。また、張力を作用させた状態で押さえゴムを押し込んでもネットが歪むことはなく、素人でもネット１１を見栄え良く張設することができる。
【００３７】
しかも、本実施形態に係るネット仮止め具１は、寸法の異なる４つの仮止め部３，４，５，６を備えて構成されているため、種々のメーカーの網戸の張り替え作業を行うことが可能になる。また、ネット張設溝が歪んでいる場合にも、ネットを確実に仮止めして、張設作業を行うことができる。
【００３８】
図６及び図７に、上記仮止め部を保持部に連結する他の実施形態を示す。
【００３９】
図６に示す実施形態では、保持部２０２の縁部両側に連結溝２１５、２１６を設ける一方、円筒状の仮止め部材２０３の母線方向に設けたスリットの対向部２１５，２１６を山形に形成し、上記連結溝２１５、２１６に嵌め込むようにして、上記保持部２０２と上記仮止め部２０３とを接着等により連結している。上記構成を採用することにより、上記保持部２０２と上記仮止め部２０３との連結強度を高めることができる。
【００４０】
図７に示す実施形態では、保持部３０２の縁部に、円筒状の仮止め部３０３の内部空間に対応する寸法を備える断面略円筒状の膨出部３１５を形成し、スリット３１７を介して、上記膨出部３１５を上記仮止め部３０３の内部空間３１３に嵌め込むようにして、上記保持部３０３と上記仮止め部３０３とを連結している。上記構成を採用することにより、上記図６に示した実施形態と同様に、上記保持部３０２と上記仮止め部２３３との連結強度を確保することができる。
【００４１】
図８から図１０に、本願発明に係る網戸用ネット仮止め具の第４の実施形態を示す。
【００４２】
これらの図に示すネット仮止め具４０１は、プラスチック製の板状材料から一体形成されており、保持部４０２と、これらの周縁部に形成された４つの仮止め部４０３，４０４，４０５，４０６とを備えて構成されている。
【００４３】
上記各仮止め部４０３，４０４，４０５，４０６は、板状部材の縁部から延出する４つの弾性当接片を各々備えて構成されている。以下、仮止め部４０５を例にして説明する。
【００４４】
上記仮止め部４０５は、上記保持部４０２の厚さ方向の一方側へ延出する弾性当接片４０５ａ、４０５ｃと、他方側に向けて延出する当接片４０５ｂ，４０５ｄとを備えて構成されており、これら弾性当接片が保持部の縁部に沿って交互に形成された形態を備える。上記各弾性当接片は、先端側が互いに近接する方向に湾曲した略円弧形状に形成されている。
【００４５】
図１０に示すように、上記仮止め部４０５を、ネット１１とともに、枠体１２のネット張設溝１３に押し込むと、上記ネット張設溝１３の対向する内壁部によって、上記弾性当接片４０５ａ，４０５Ｃと、当接片４０５ｂ，４０５ｄとが近接する方向に弾性変形させられる。これにより、上記ネット１１が上記ネット張設溝１３の対向する内壁部へ上記弾性力で押し付けられ、上記ネット１１が上記枠体１２に仮止めされる。
【００４６】
本実施形態では、複数の弾性当接片４０５ａ、４０５ｃ，４０５ｂ，４０５ｄを弾性変形させるようにして、ネット張設溝に嵌入させることができるため、着脱する際に大きな力を要することがない。また、上記弾性当接片の寸法や間隔を調節することにより、種々の寸法のネット調節溝に対応することも可能となる。
【００４７】
さらに、互いに反対方向に延出する複数の上記弾性当接片を交互に設けることにより、上記ネット仮止め具を、上形と下形からなる簡単な射出成形型あるいはプレス型を用いて成形することが可能となり、製造コストをより低減させることができる。
【００４８】
図１１から図１５に本願発明に係る第５の実施形態を示す。
【００４９】
この実施形態に係るネット仮止め具５０１は、板状の保持部５０２に、異なる溝幅に適用できる二つの仮止め部５０３，５０５を設けたものである。以下、一方の仮止め部５０５について説明する。
【００５０】
図１１から図１４に示すように、上記仮止め部５０５は、スリット５０６を開けて延出形成された一対の弾性当接片５０５ａ，５０５ｂを備えて構成される。各弾性当接片５０５ａ，５０５ｂは、弾性変形量を確保するための薄肉状の脚部５１０，５１１を介して形成されている。上記弾性当接片５０５ａ，５０５ｂは、上記保持部５０２の厚さ方向に対して互いに反対方向に膨出するように形成されている。
【００５１】
図１５に、上記仮止め具５０１を用いて、ネット１１をネット張設溝１３に仮止めした状態の断面を示す。
【００５２】
この図に示すように、上記一対の弾性当接片５０５ａ，５０５ｂが、上記ネット１１とともに上記ネット張設溝１３に押し込まれると、上記脚部の弾性変形によって、上記一対の弾性当接片５０５ａ，５０５ｂが、保持部５０２の幅方向に近接する方向に弾性変形させられる。これにより、上記一対の弾性当接片が、上記ネット１１を対向する内壁部１３ａ，１３ｂに押圧し、上記ネット１１が、上記ネット張設溝１３に弾力よって仮止めされる。
【００５３】
本実施形態に係る仮止め具５０１では、上記脚部５０７，５０８，５０９，５１０を介して弾性当接片を設けているため、上記弾性当接片の弾性変形量を大きく設定することが可能になる。これにより、一つの仮止め部によって、寸法範囲の広いネット張設溝に対応することが可能となる。
【００５４】
本願発明は、上述の実施形態に限定されることはない。実施形態では、異なる寸法で形成された複数の仮止め部を備える例を示したが、仮止め部の寸法を連続的に変化させて、広い範囲のネット張設溝に対応できるように構成することができる。
【００５５】
また、実施形態では、板状の保持部を採用したが、保持部の形状は実施形態に限定されることはなく、棒状等他の形状の保持部を採用することもできる。
【図面の簡単な説明】
【００５６】
【図１】本願発明に係るネット仮止め具の第１の実施形態の正面図である。
【図２】図１に示すネット仮止め具の平面図である。
【図３】図１に示すネット仮止め具の右側面図である。
【図４】図１に示すネット仮止め具を用いて、網戸枠にネットを張設している状態を示す斜視図である。
【図５】図１に示すネット仮止め具を用いてネットを仮止めしている状態を示す図であり、図４におけるＶ−Ｖ線に沿う断面図である。
【図６】保持部と仮止め部との連結方法に係る第２の実施形態を示す断面図である。
【図７】保持部と仮止め部との連結方法に係る第３の実施形態を示す断面図である。
【図８】本願発明に係るネット仮止め具の第４の実施形態を示す全体斜視図である。
【図９】図８に示すネット仮止め具の正面図である。
【図１０】図８に示すネット仮止め具を用いてネットを仮止めしている状態を示す図であり、図４に相当する断面図である。
【図１１】本願発明に係るネット仮止め具の第５の実施形態の全体斜視図である。
【図１２】図１１に示すネット仮止め具の正面図である。
【図１３】図１１に示すネット仮止め具の右側面図である。
【図１４】図１１に示すネット仮止め具の平面図である。
【図１５】図１１に示すネット仮止め具を用いてネットを仮止めしている状態を示す図であり、図１３におけるＸＶ−ＸＶ線に対応する断面図である。
【符号の説明】
【００５７】
１  ネット仮止め具
２  保持部
３  仮止め部
４  仮止め部
５  仮止め部
６  仮止め部
【図１】
2009249971.tif 000003
【図２】
2009249971.tif 000004
【図３】
2009249971.tif 000005
【図４】
2009249971.tif 000006
【図５】
2009249971.tif 000007
【図６】
2009249971.tif 000008
【図７】
2009249971.tif 000009
【図８】
2009249971.tif 000010
【図９】
2009249971.tif 000011
【図１０】
2009249971.tif 000012
【図１１】
2009249971.tif 000013
【図１２】
2009249971.tif 000014
【図１３】
2009249971.tif 000015
【図１４】
2009249971.tif 000016
【図１５】
2009249971.tif 000017